【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  ＡＶデータを任意の記録媒体に記録するＡＶデータ記録方法において、前記記録媒体に一つ以上の区間に区分けして第１のＡＶデータを記録すると共に、前記記録媒体に記録された前記第１のＡＶデータの前記区間それぞれに関連する情報を有する第２のＡＶデータを前記第１のＡＶデータの前記区間毎に対応付けして、前記第１のＡＶデータを記録した前記記録媒体と同一又は異なる記録媒体に記録するＡＶデータ記録方法であって、前記第１のＡＶデータの前記区間毎に対応付けして記録される前記第２のＡＶデータとして、前記第１のＡＶデータの先頭の区間から開始して、当該第２のＡＶデータが対応付けられた当該区間よりも一つ手前の区間に至るまでの各区間を識別することが可能な区間識別情報を含み、前記第２のＡＶデータの再生が指示された際に、前記区間識別情報に基づいて、先頭の区間に対応付けられた前記第２のＡＶデータから再生を開始して、前記第１のＡＶデータの未再生の先頭を示す区間として前記区間識別情報に指定されている前記一つ手前の区間に至るまでの各区間に対応付けられた前記第２のＡＶデータそれぞれの再生を行なうことができるようにしたことを特徴とするＡＶデータ記録方法。
【請求項２】  請求項１に記載のＡＶデータ記録方法において、前記第２のＡＶデータを再生する場合、前記第１のＡＶデータの前記区間のうち未だ再生していない区間に対応付けられた前記第２のＡＶデータを再生しないように前記区間識別情報を記録することを特徴とするＡＶデータ記録方法。
【請求項３】  ＡＶデータを任意の記録媒体に記録するＡＶデータ記録装置において、前記記録媒体に一つ以上の区間に区分けして第１のＡＶデータを記録すると共に、前記記録媒体に記録された前記第１のＡＶデータの前記区間それぞれに関連する情報を有する第２のＡＶデータを前記第１のＡＶデータの前記区間毎に対応付けして、前記第１のＡＶデータを記録した前記記録媒体と同一又は異なる記録媒体に記録するＡＶデータ記録装置であって、前記第１のＡＶデータの前記区間毎に対応付けして記録される前記第２のＡＶデータとして、前記第１のＡＶデータの先頭の区間から開始して、当該第２のＡＶデータが対応付けられた当該区間よりも一つ手前の区間に至るまでの各区間を識別することが可能な区間識別情報を含み、前記第２のＡＶデータの再生が指示された際に、前記区間識別情報に基づいて、先頭の区間に対応付けられた前記第２のＡＶデータから再生を開始して、前記第１のＡＶデータの未再生の先頭を示す区間として前記区間識別情報に指定されている前記一つ手前の区間に至るまでの各区間に対応付けられた前記第２のＡＶデータそれぞれの再生を行なうことができるようにしたことを特徴とするＡＶデータ記録装置。
【請求項４】  任意の記録媒体に記録されたＡＶデータを再生するＡＶデータ再生方法において、前記記録媒体に一つ以上の区間に区分けされて記録された第１のＡＶデータと、前記第１のＡＶデータを記録した前記記録媒体と同一又は異なる記録媒体に、前記第１のＡＶデータの前記区間毎に対応付けして記録された、前記第１のＡＶデータの前記区間それぞれに関連する情報を有する第２のＡＶデータと、のいずれかを切り替えて再生するＡＶデータ再生方法であって、前記第１のＡＶデータの前記区間毎に対応付けして記録される前記第２のＡＶデータとして、前記第１のＡＶデータの先頭の区間から開始して、当該第２のＡＶデータが対応付けられた当該区間よりも一つ手前の区間に至るまでの各区間を識別することが可能な区間識別情報を含み、前記第２のＡＶデータの再生が指示された際に、前記区間識別情報に基づいて、先頭の区間に対応付けられた前記第２のＡＶデータから再生を開始して、前記第１のＡＶデータの未再生の先頭を示す区間として前記区間識別情報に指定されている前記一つ手前の区間に至るまでの各区間に対応付けられた前記第２のＡＶデータそれぞれの再生を行なうことを特徴とするＡＶデータ再生方法。
【請求項５】  請求項４に記載のＡＶデータ再生方法において、前記第２のＡＶデータを再生する場合、前記区間識別情報に基づいて、前記第１のＡＶデータの前記区間のうち未だ再生していない区間に対応付けられた前記第２のＡＶデータを再生しないようにすることを特徴とするＡＶデータ再生方法。
【請求項６】  請求項４又は５に記載のＡＶデータ再生方法において、前記第１のＡＶデータの前記区間毎に対応付けられた前記第２のＡＶデータが、対応する前記第１のＡＶデータの当該区間毎の粗筋を示すダイジェストデータであることを特徴とするＡＶデータ再生方法。
【請求項７】  請求項４又は５に記載のＡＶデータ再生方法において、前記第１のＡＶデータの前記区間毎に対応付けられた前記第２のＡＶデータが、対応する前記第１のＡＶデータの当該区間毎に登場する一つ以上のキャラクタに関する概要を示す付属情報であることを特徴とするＡＶデータ再生方法。
【請求項８】  請求項７に記載のＡＶデータ再生方法において、前記付属情報の種別として、対応する前記第１のＡＶデータの当該区間毎に登場する登場人物の人物紹介データ、該登場人物間の人物関係を示す情報、該登場人物が取得したアイテムに関する関連情報、あるいは、対応する前記第１のＡＶデータの当該区間毎に登場する動物やアイテムに関する関連情報のうち、１乃至複数の種別を含んでいることを特徴とするＡＶデータ再生方法。
【請求項９】  請求項６乃至８のいずれかに記載のＡＶデータ再生方法において、前記第２のＡＶデータを再生する場合に、再生すべき前記第２のＡＶデータとして、前記ダイジェストデータ、又は、前記付属情報のいずれかの前記種別を選択して再生させることができることを特徴とするＡＶデータ再生方法。
【請求項１０】  請求項４乃至９のいずれかに記載のＡＶデータ再生方法において、前記第２のＡＶデータの再生が終了した際、あるいは、前記第２のＡＶデータの再生中にユーザが前記第１のＡＶデータの再生への切り替えを指示した際、前記第１のＡＶデータの前記区間のうち、未だ再生途中にあり再生を完了していない区間の先頭から、あるいは、未だ全く再生していない区間の先頭から再生を開始することを特徴とするＡＶデータ再生方法。
【請求項１１】  請求項４乃至１０のいずれかに記載のＡＶデータ再生方法において、前記第１のＡＶデータの前記区間のいずれかの区間の再生途中に、再生の中断指示がなされるか、あるいは、前記第２のＡＶデータの再生への切り替え指示がなされて、前記第１のＡＶデータの再生を前記区間の途中で中断した後、前記第２のＡＶデータを再生していた場合に、前記第２のＡＶデータの再生が終了した際、あるいは、ユーザが前記第１のＡＶデータの再生への切り替えを指示した際、再生を中断した位置から前記第１のＡＶデータの再生を再開することを特徴とするＡＶデータ再生方法。
【請求項１２】  任意の記録媒体に記録されたＡＶデータを再生するＡＶデータ再生装置において、前記記録媒体に一つ以上の区間に区分けされて記録された第１のＡＶデータと、前記第１のＡＶデータを記録した前記記録媒体と同一又は異なる記録媒体に、前記第１のＡＶデータの前記区間毎に対応付けして記録された、前記第１のＡＶデータの前記区間それぞれに関連する情報を有する第２のＡＶデータと、のいずれかを切り替えて再生するＡＶデータ再生装置であって、前記第１のＡＶデータの前記区間毎に対応付けして記録される前記第２のＡＶデータとして、前記第１のＡＶデータの先頭の区間から開始して、当該第２のＡＶデータが対応付けられた当該区間よりも一つ手前の区間に至るまでの各区間を識別することが可能な区間識別情報を含み、前記第２のＡＶデータの再生が指示された際に、前記区間識別情報に基づいて、先頭の区間に対応付けられた前記第２のＡＶデータから再生を開始して、前記第１のＡＶデータの未再生の先頭を示す区間として前記区間識別情報に指定されている前記一つ手前の区間に至るまでの各区間に対応付けられた前記第２のＡＶデータそれぞれの再生を行なうことを特徴とするＡＶデータ再生装置。
【手続補正２】
【補正対象書類名】明細書
【補正対象項目名】０００７
【補正方法】変更
【補正の内容】
【０００７】
【課題を解決するための手段】
第１の技術手段は、ＡＶデータを任意の記録媒体に記録するＡＶデータ記録方法（又は装置）において、前記記録媒体に一つ以上の区間に区分けして第１のＡＶデータを記録すると共に、前記記録媒体に記録された前記第１のＡＶデータの前記区間それぞれに関連する情報を有する第２のＡＶデータを前記第１のＡＶデータの前記区間毎に対応付けして、前記第１のＡＶデータを記録した前記記録媒体と同一又は異なる記録媒体に記録するＡＶデータ記録方法（又は装置）であって、前記第１のＡＶデータの前記区間毎に対応付けして記録される前記第２のＡＶデータとして、前記第１のＡＶデータの先頭の区間から開始して、当該第２のＡＶデータが対応付けられた当該区間よりも一つ手前の区間に至るまでの各区間を識別することが可能な区間識別情報を含み、前記第２のＡＶデータの再生が指示された際に、前記区間識別情報に基づいて、先頭の区間に対応付けられた前記第２のＡＶデータから再生を開始して、前記第１のＡＶデータの未再生の先頭を示す区間として前記区間識別情報に指定されている前記一つ手前の区間に至るまでの各区間に対応付けられた前記第２のＡＶデータそれぞれの再生を行なうことができるようにしたＡＶデータ記録方法（又は装置）とすることを特徴とするものである。
【手続補正３】
【補正対象書類名】明細書
【補正対象項目名】０００９
【補正方法】変更
【補正の内容】
【０００９】
第２の技術手段は、前記第１の技術手段に記載のＡＶデータ記録方法において、前記第２のＡＶデータを再生する場合、前記第１のＡＶデータの前記区間のうち未だ再生していない区間に対応付けられた前記第２のＡＶデータを再生しないように前記区間識別情報を記録するＡＶデータ記録方法とすることを特徴とするものである。
【手続補正４】
【補正対象書類名】明細書
【補正対象項目名】００１０
【補正方法】変更
【補正の内容】
【００１０】
第３の技術手段は、任意の記録媒体に記録されたＡＶデータを再生するＡＶデータ再生方法（又は装置）において、前記記録媒体に一つ以上の区間に区分けされて記録された第１のＡＶデータと、前記第１のＡＶデータを記録した前記記録媒体と同一又は異なる記録媒体に、前記第１のＡＶデータの前記区間毎に対応付けして記録された、前記第１のＡＶデータの前記区間それぞれに関連する情報を有する第２のＡＶデータと、のいずれかを切り替えて再生するＡＶデータ再生方法（又は装置）であって、前記第１のＡＶデータの前記区間毎に対応付けして記録される前記第２のＡＶデータとして、前記第１のＡＶデータの先頭の区間から開始して、当該第２のＡＶデータが対応付けられた当該区間よりも一つ手前の区間に至るまでの各区間を識別することが可能な区間識別情報を含み、前記第２のＡＶデータの再生が指示された際に、前記区間識別情報に基づいて、先頭の区間に対応付けられた前記第２のＡＶデータから再生を開始して、前記第１のＡＶデータの未再生の先頭を示す区間として前記区間識別情報に指定されている前記一つ手前の区間に至るまでの各区間に対応付けられた前記第２のＡＶデータそれぞれの再生を行なう再生方法（又は装置）とすることを特徴とするものである。
【手続補正５】
【補正対象書類名】明細書
【補正対象項目名】００１１
【補正方法】変更
【補正の内容】
【００１１】
第４の技術手段は、前記第３の技術手段に記載のＡＶデータ再生方法において、前記第２のＡＶデータを再生する場合、前記区間識別情報に基づいて、前記第１のＡＶデータの前記区間のうち未だ再生していない区間に対応付けられた前記第２のＡＶデータを再生しないようにするＡＶデータ再生方法とすることを特徴とするものである。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
第９の技術手段は、前記第３乃至第８の技術手段のいずれかに記載のＡＶデータ再生方法において、前記第２のＡＶデータの再生が終了した際、あるいは、前記第２のＡＶデータの再生中にユーザが前記第１のＡＶデータの再生への切り替えを指示した際、前記第１のＡＶデータの前記区間のうち、未だ再生途中にあり再生を完了していない区間の先頭から、あるいは、未だ全く再生していない区間の先頭から再生を開始するＡＶデータ再生方法とすることを特徴とするものである。
【手続補正８】
【補正対象書類名】明細書
【補正対象項目名】００１８
【補正方法】変更
【補正の内容】
【００１８】
第１０の技術手段は、前記第３乃至第９の技術手段のいずれかに記載のＡＶデータ再生方法において、前記第１のＡＶデータの前記区間のいずれかの区間の再生途中に、再生の中断指示がなされるか、あるいは、前記第２のＡＶデータの再生への切り替え指示がなされて、前記第１のＡＶデータの再生を前記区間の途中で中断した後、前記第２のＡＶデータを再生していた場合に、前記第２のＡＶデータの再生が終了した際、あるいは、ユーザが前記第１のＡＶデータの再生への切り替えを指示した際、再生を中断した位置から前記第１のＡＶデータの再生を再開するＡＶデータ再生方法とすることを特徴とするものである。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】